(57)【要約】【課題】  透過型の自発光表示素子を用いることにより、機器全体の薄型化、小型化を図り、暗い所でも情報を自発光によって表示できると共に、その表示光によって機器ケースの内外を照明できるようにする。【解決手段】  腕時計ケース１内に透過型の自発光表示素子１２を時計ガラス２に対応させて配置すると共に、この自発光表示素子１２の端面が対応する腕時計ケース１の側壁部に光透過部材２５を設けた。従って、透過型の自発光表示素子１２が表示機能と発光機能とを有するので、機器全体の薄型化、小型化を図ることができると共に、暗い所でも表示された情報を腕時計ケース１の外部から確認できる。また、自発光表示素子１２の端面から表示光の一部が出射されるので、この出射された光を光透過部材２５で導いて腕時計ケース１の外部に放出でき、これにより腕時計ケース１の側壁部の一部を発光させることができる。【選択図】        図１
2006177830.tif 000002
【特許請求の範囲】
【請求項１】
表示窓部を有する機器ケースと、
前記表示窓部に対応して前記機器ケース内に配置された透過型の自発光表示素子と、
この透過型の自発光表示素子の端面が対応する前記機器ケースの側壁部にその内部から外部に貫通して設けられた光透過部材と
を備えたことを特徴とする電子機器。
【請求項２】
前記光透過部材には押釦が取り付けられ、この押釦の少なくとも前記機器ケースの外部に露出する一部は光透過性を有する材料で構成されていることを特徴とする請求項１に記載の電子機器。
【請求項３】
機器ケースと、
この機器ケースに取り付けられた表示用の透明部材と、
この表示用の透明部材に一体に設けられた透過型の自発光表示素子と
を備えたことを特徴とする電子機器。
【請求項４】
表示窓部を有する機器ケースと、前記表示窓部に対応して前記機器ケース内に配置された透過型の自発光表示素子と、この透過型の自発光表示素子の上方を指針が運針して時刻を指示するアナログ機構部とを備え、
前記透過型の自発光表示素子は文字板を兼ねていることを特徴とする電子機器。
【請求項５】
表示窓部を有する機器ケースと、
前記表示窓部に対応して前記機器ケース内に配置された透過型の自発光表示素子と、
この自発光表示素子の下面側に配置されたソーラーパネルと
を備えたことを特徴とする電子機器。
【請求項６】
前記自発光表示素子と前記ソーラーパネルとの間には、半透過反射層が配置されていることを特徴とする請求項５に記載の電子機器。
【請求項７】
表示窓部を有する機器ケースと、
前記表示窓部に対応して前記機器ケース内に配置された透過型の液晶表示素子と、
この液晶表示素子の下面に配置された透過型の自発光表示素子と
を備えたことを特徴とする電子機器。
【発明の詳細な説明】
【技術分野】
【０００１】
この発明は、電子時計や携帯電話機、ＰＤＡ（パーソナル・デジタル・アシスタント）などの電子機器に関する。
【背景技術】
【０００２】
従来、電子機器においては、特許文献１に記載されているように、液晶表示パネルの下面に半透過反射膜を介してＥＬ（エレクトロ・ルミネッセンス）パネルを配置し、これにより表示装置を構成したものがある。
【特許文献１】特開平１０−３０２９５９号公報
【０００３】
このような電子機器では、暗い所でＥＬパネルを発光させると、その光の一部が半透過反射膜を透過して液晶表示パネルに照射されるので、暗い所でも液晶表示パネルに表示された情報を認識することができる。また、明るい所では、ＥＬパネルを消灯しても、外部光が液晶表示パネルを透過し、この透過した外部光の一部が半透過反射膜で反射されて液晶表示パネルを照明するので、明るい所でも液晶表示パネルに表示された情報を認識することができる。
【発明の開示】
【発明が解決しようとする課題】
【０００４】
しかしながら、このような特許文献１の表示装置を用いた電子機器では、液晶表示パネルが情報を表示する表示機能を有し、ＥＬパネルが液晶表示素子を照明する照明機能を有する構成であるから、液晶表示パネルの下面にＥＬパネルを配置し、このＥＬパネルを発光させて液晶表示パネルを照明しなければ、暗い所で液晶表示パネルに表示された情報を認識することができず、このため表示装置全体の厚みが厚くなり、これに伴って機器全体が大型化するという問題がある。
【０００５】
この発明が解決しようとする課題は、透過型の自発光表示素子を用いることにより、機器全体の薄型化、小型化を図り、暗い所でも情報を自発光によって表示できると共に、その表示光によって機器ケースの内外を照明できる電子機器を提供することである。
また、この発明の他の課題は、暗い所でも情報を自発光によって表示できると共に、その表示光によって機器ケースの内外を照明でき、より多くの情報を表示できる電子機器を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図３に示すように、表示窓部（時計ガラス２）を有する機器ケース（腕時計ケース１）と、前記表示窓部に対応して前記機器ケース内に配置された透過型の自発光表示素子（１２）と、この自発光表示素子の端面が対応する前記機器ケースの側壁部にその内部から外部に貫通して設けられた光透過部材（２５、３２）とを備えたことを特徴とする電子機器である。
【０００８】
請求項２に記載の発明は、図３に示すように、前記光透過部材（３２）に押釦（３０）が取り付けられ、この押釦の少なくとも前記機器ケース（腕時計ケース１）の外部に露出する一部（釦頭部３１）が光透過性を有する材料で構成されていることを特徴とする請求項１に記載の電子機器である。
【０００９】
請求項３に記載の発明は、図４に示すように、機器ケース（腕時計ケース１）と、この機器ケースに取り付けられた表示用の透明部材（時計ガラス２）と、この表示用の透明部材に一体に設けられた透過型の自発光表示素子（１２）とを備えたことを特徴とする電子機器である。
【００１０】
請求項４に記載の発明は、図５に示すように、表示窓部（時計ガラス２）を有する機器ケース（腕時計ケース１）と、前記表示窓部に対応して前記機器ケース内に配置された透過型の自発光表示素子（１２）と、この透過型の自発光表示素子の上方を指針（１５）が運針して時刻を指示するアナログ機構部（アナログムーブメント１０）とを備え、前記透過型の自発光表示素子が文字板を兼ねていることを特徴とする電子機器である。
【００１１】
請求項５に記載の発明は、図６に示すように、表示窓部（時計ガラス２）を有する機器ケース（腕時計ケース１）と、前記表示窓部に対応して前記機器ケース内に配置された透過型の自発光表示素子（１２）と、この自発光表示素子の下面側に配置されたソーラーパネル（４０）とを備えたことを特徴とする電子機器である。
【００１２】
請求項６に記載の発明は、図６に示すように、前記自発光表示素子（１２）と前記ソーラーパネル（４０）との間に半透過反射層（４１）が配置されていることを特徴とする請求項５に記載の電子機器である。
【００１３】
請求項７に記載の発明は、図７に示すように、表示窓部（時計ガラス２）を有する機器ケース（腕時計ケース１）と、前記表示窓部に対応して前記機器ケース内に配置された透過型の液晶表示素子（５１）と、この液晶表示素子の下面に配置された透過型の自発光表示素子（１２）とを備えたことを特徴とする電子機器である。
【発明の効果】
【００１４】
請求項１に記載の発明によれば、表示窓部を有する機器ケース内に透過型の自発光表示素子を表示窓部に対応させて配置したことにより、この透過型の自発光表示素子が表示機能と発光機能とを有するので、表示装置全体の薄型化、小型化を図ることができ、これに伴って機器全体の薄型化、小型化をも図ることができるほか、透過型の自発光表示素子が発光して情報を表示するため、暗い所でも表示された情報を機器ケースの外部から表示窓部を通して見ることができると共に、その表示光によって表示窓部の内側に位置する機器ケースの内部を明るく照明することができる。
【００１５】
また、この場合には、自発光表示素子の端面が対応する機器ケースの側壁部に光透過部材が機器ケースの内部から外部に貫通して設けられているので、自発光表示素子が発光して情報を表示すると、自発光表示素子の端面から表示光の一部が出射され、この出射された光を機器ケースに設けられた光透過部材で導いて機器ケースの外部に放出することができ、これにより機器ケースにおける側壁部の一部をも発光させることができるので、装飾性の高いものを得ることができる。
【００１６】
請求項２に記載の発明によれば、光透過部材に押釦が取り付けられ、この押釦の少なくとも機器ケースの外部に露出する一部が光透過性を有する材料で構成されていることにより、自発光表示素子が発光して情報を表示すると、自発光表示素子の端面から出射された一部の表示光が機器ケースの光透過部材によって導かれ、この導かれた光を押釦の少なくとも一部から機器ケースの外部に放出することができ、これにより機器ケースの外部に露出する押釦の少なくとも一部を発光させることができるので、請求項１に記載の発明と同様、装飾性の高いものを得ることができるほか、特に暗い所でも良好に押釦を認識して操作することができ、使い勝手の良いものを得ることができる。
【００１７】
請求項３に記載の発明によれば、機器ケースに取り付けられた表示用の透明部材に透過型の自発光表示素子を一体に設けたので、請求項1に記載の発明よりも、更に機器全体の薄型化、小型化を図ることができる。この場合にも、透過型の自発光表示素子が発光して情報を表示するので、請求項1に記載の発明と同様、暗い所でも表示された情報を機器ケースの外部から表示用の透明部材を通して見ることができると共に、透過型の自発光表示素子で発光した表示光によってその下側に位置する機器ケースの内部を明るく照明することができる。
【００１８】
請求項４に記載の発明によれば、表示窓部を有する機器ケース内に透過型の自発光表示素子が表示窓部に対応して配置され、この透過型の自発光表示素子が文字板を兼ねているので、部品点数を削減することができ、これにより、より一層、機器全体の薄型化、小型化を図ることができる。この場合にも、文字板を兼ねる透過型の自発光表示素子が発光して情報を表示するので、この自発光表示素子で表示された情報を認識することができると共に、この自発光表示素子の表示光によってその上側に位置するアナログ機構部の指針を照明することができ、これにより暗い所でも自発光表示素子に表示された情報およびアナログ機構部の指針によって指示された時刻情報の両方を認識することができる。
【００１９】
請求項５に記載の発明によれば、表示窓部を有する機器ケース内に透過型の自発光表示素子を表示窓部に対応させて配置したので、請求項１に記載の発明と同様、機器全体の薄型化、小型化を図ることができると共に、透過型の自発光表示素子が発光して情報を表示するので、暗い所でも表示された情報を機器ケースの外部から表示窓部を通して見ることができるほか、特に透過型の自発光表示素子が透過型であることにより、明るい所では外部光が自発光表示素子を透過するので、外部光を効率良くソーラーパネルに照射させることができ、これにより良好にソーラーパネルを発電させることができる。
【００２０】
請求項６に記載の発明によれば、透過型の自発光表示素子とソーラーパネルとの間に半透過反射層が配置されていることにより、暗い所でも透過型の自発光表示素子が発光して情報を表示するので、その表示された情報を表示窓部を通して機器ケースの外部から見ることができるほか、特に明るい所では透過型の自発光表示素子を透過した外部光の一部が半透過反射層を透過してソーラーパネルに照射されるので、ソーラーパネルを良好に発電させることができると共に、自発光表示素子を透過した外部光の他の一部が半透過反射層で反射されるので、この反射光によって自発光表示素子を通してその上方を照明することができる。
【００２１】
請求項７に記載の発明によれば、表示窓部を有する機器ケース内に透過型の液晶表示素子を表示窓部に対応させて配置し、この透過型の液晶表示素子の下面に透過型の自発光表示素子を配置したので、透過型の自発光表示素子が発光して情報を表示すると、その表示光によって透過型の液晶表示素子の下面側を照明することができ、これにより暗い所でも透過型の自発光表示素子に表示された情報を透過型の液晶表示素子を通して見ることができると共に、透過型の液晶表示素子に表示された情報をも認識することができ、これにより、より多くの情報を認識することができる。
【発明を実施するための最良の形態】
【００２２】
（実施形態１）
以下、図１および図２を参照して、この発明を電子腕時計に適用した実施形態１について説明する。図１はこの発明の電子腕時計を示した拡大断面図、図２は図１の透過型の自発光表示素子を示した要部の拡大断面図である。
この電子腕時計は、腕時計ケース１を備えている。この腕時計ケース１の上部における中央部分には、透明な材料からなる時計ガラス２が取り付けられており、この腕時計ケース１の上部外周にはベゼル３が取り付けられている。また、腕時計ケース１の内部には時計モジュール４が収納されており、腕時計ケース１の下面には裏蓋５が防水リング６を介して取り付けられている。さらに、この腕時計ケース１の９時側の側壁部（図１では左側の側壁部）には押釦７が設けられている。
【００２３】
時計モジュール４は、アナログ機能とデジタル機能との両方を有するものであり、ハウジング８内にアナログムーブメント１０が設けられていると共に、このハウジング８の上面に文字板１１を介して透過型の自発光表示素子１２が設けられた構成になっている。この場合、アナログムーブメント１０は、その指針軸１３がハウジング８上の文字板１１と透過型の自発光表示素子１２との両者に連続して設けられた貫通孔１４を通してその上方に突出し、この突出した指針軸１３の上端部に時針、分針などの指針１５が取り付けられ、この指針１５が自発光表示素子１２の上方を運針するように構成されている。この場合、文字板１１の上面には、時字（図示せず）が設けられている。
【００２４】
透過型の自発光表示素子１２は、透明なＥＬ（エレクトロ・ルミネッセンス）表示素子からなり、時刻などの情報を自発光によって表示するものであり、図２に示すように、ＥＬ発光層１６と、このＥＬ発光層１６を挟む上下一対の透明電極１７、１８とを備え、下側の透明電極１８が絶縁性を有する透明なベースシート１９ａ上に設けられ、上側の透明電極１７が絶縁性を有する透明な保護シート１９ｂで覆われた構成になっている。この場合、ＥＬ発光層１６は、一対の透明電極１７、１８に電圧が印加されると、その間に挟まれた部分が選択的に発光するように構成されている。
【００２５】
また、一対の透明電極１７、１８のうち、上側の透明電極１７は、ＩＴＯなどの透明な導電材料からなり、ＥＬ発光層１６の上面にマトリックス状に配列形成されて保護シート１９ｂによって覆われている。また、下側の透明電極１８は、ＩＴＯなどの透明な導電材料からなる共通電極で、ＥＬ発光層１６の下面全体に対応した状態で、ベースシート１９ａ上に設けられている。これにより、自発光表示素子１２は、全体が透明な構成で、その上方から文字板１１が透けて見えるように構成されている。また、この自発光表示素子１２は、上下一対の透明電極１７、１８に電圧を印加するときに、上側の透明電極１７に選択的に電圧を印加することにより、この印加された上側の透明電極１７に対応する部分のＥＬ発光層１６が選択的に発光して情報を表示するように構成されている。
【００２６】
ところで、押釦７は、図１に示すように、釦頭部２０と釦軸２１とを備え、釦軸２１が腕時計ケース１の９時側の側壁部（図１では左側の側壁部）に設けられた貫通孔２２に防水リング２３を介して摺動可能に挿入され、この挿入された釦軸２１の内側端部に抜け止めリング２４が取り付けられ、釦軸２１の外側端部に釦頭部２０が取り付けられ、この釦頭部２０が腕時計ケース１の側壁部から外部に突出し、この釦頭部２０を押圧操作すると、釦軸２１の内側端部が時計モジュール４のスイッチ部（図示せず）をスイッチ動作させるように構成されている。
【００２７】
また、この押釦７が設けられた腕時計ケース１の側壁部には、図１に示すように、光透過部材２５が腕時計ケース１の内部と外部とに貫通して設けられている。すなわち、この光透過部材２５は、透明または半透明の光透過性を有する合成樹脂からなり、その内端面が時計モジュール４のハウジング８の上側に配置された透過型の自発光表示素子１２の端面に対応し、外端面が押釦７の近傍に位置して腕時計ケース１の側壁部から外部に露出した状態で、腕時計ケース１の側壁部に埋め込まれている。
【００２８】
これにより、光透過部材２５は、透過型の自発光表示素子１２が発光して情報を表示したときに、その表示光の一部が自発光表示素子１２の端面から出射され、この出射された一部の表示光を光透過部材２５の内端面から採り込み、この採り込んだ光を光透過部材２５で導いて光透過部材２５の外端面から腕時計ケース１の外部に放出するように構成されている。
【００２９】
このような電子腕時計によれば、腕時計ケース１内に透過型の自発光表示素子１２を時計ガラス２に対応させて配置したことにより、この透過型の自発光表示素子１２が表示機能と発光機能とを有するので、表示装置全体の薄型化、小型化を図ることができ、これに伴って機器全体の薄型化、小型化をも図ることができると共に、透過型の自発光表示素子１２が発光して情報を表示するので、暗い所でも自発光表示素子１２で表示された情報を時計ガラス２を通して見ることができる。
【００３０】
この場合、アナログムーブメント１０の指針１５が自発光表示素子１２の上方を運針するので、自発光表示素子１２が発光して情報を表示すると、その表示光によってアナログムーブメント１０の指針１５を照明することができる。また、自発光表示素子１２は透過型であるから、この自発光表示素子１２によって下側に配置された文字板１１をも照明することができると共に、自発光表示素子１２を通して文字板１１を見ることができ、これにより指針１５および文字板１１によって指示された時刻をも知ることができる。
【００３１】
また、この電子腕時計では、自発光表示素子１２の端面が対応する腕時計ケース１の側壁部に光透過部材２５が腕時計ケース１の内部から外部に貫通して設けられているので、自発光表示素子１２が発光して情報を表示すると、この自発光表示素子１２の端面から表示光の一部が出射され、その出射された一部の表示光を腕時計ケース１の側壁部に設けられた光透過部材２５で導いて腕時計ケース１の外部に放出することができる。
【００３２】
これにより、この電子腕時計では、自発光表示素子１２が発光して情報を表示すると、腕時計ケース１における側壁部の一部を発光させることができるので、装飾性の高いものを得ることができる。この場合、特に光透過部材２５が腕時計ケース１の側壁部に設けられた押釦７の近傍に設けられているので、この光透過部材２５によって押釦７の近傍を照明することができ、これにより暗い所でも押釦７を確認して操作することができるので、使い勝手の良いものを得ることができる。
【００３３】
（実施形態２）
次に、図３を参照して、この発明を電子腕時計に適用した実施形態２について説明する。なお、図１および図２に示された実施形態１と同一部分には同一符号を付して説明する。
この電子腕時計は、腕時計ケース１の側壁部に光透過部材３２を設け、この光透過部材３２に押釦３０を取り付け、この押釦３０の一部を光透過性を有する合成樹脂で構成し、これ以外は実施形態１とほぼ同じ構成になっている。すなわち、この押釦３０は、透明または半透明の光透過性を有する合成樹脂からなる釦頭部３１と実施形態１と同じ釦軸２１とを備えている。
【００３４】
この場合、押釦３０は、釦軸２１が腕時計ケース１の側壁部に設けられた光透過部材３２の貫通孔３２ａに防水リング２２を介して摺動可能に挿入され、この挿入された釦軸２１の内側端部に抜け止めリング２４が取り付けられ、釦軸２１の外側端部に透明または半透明の光透過性を有する釦頭部３１が取り付けられ、この釦頭部３１が腕時計ケース１の側壁面から外部に露出し、この釦頭部３１を押圧操作すると、釦軸２１の内側端部が時計モジュール４のスイッチ部（図示せず）をスイッチ動作させるように構成されている。
【００３５】
この場合にも、腕時計ケース１の光透過部材３２は、透明または半透明の光透過性を有する合成樹脂からなり、その内端面が時計モジュール４のハウジング８の上側に配置された透過型の自発光表示素子１２の端面に対応し、外端面が押釦７の釦頭部３１の内端面に対応するように構成されている。これにより、押釦３０は、自発光表示素子１２が発光して情報を表示すると、その表示光の一部が自発光表示素子１２の端面から出射され、この出射された一部の表示光を光透過部材３２の内端面から採り込み、この採り込んだ光を光透過部材３２で導いて釦頭部３１に入射させ、この入射した光を釦頭部３１から腕時計ケース１の外部に放出するように構成されている。
【００３６】
このような電子腕時計によれば、腕時計ケース１内に透過型の自発光表示素子１２が時計ガラス２に対応して配置されているので、実施形態１と同様、機器全体の薄型化、小型化を図ることができると共に、透過型の自発光表示素子１２が発光して情報を表示するので、暗い所でも自発光表示素子１２で表示された情報を腕時計ケース１の外部から時計ガラス２を通して見ることができるほか、自発光表示素子１２の表示光がその上方の指針１５およびその下側の文字板１１を照明するので、この指針１５および文字板１１によって指示された時刻をも知ることができる。
【００３７】
この場合には、特に腕時計ケース１の側壁部に光透過部材３２が設けられ、この光透過部材３２に押釦３０が取り付けられ、この押釦３０の釦頭部３１が光透過性を有する合成樹脂で構成されているので、自発光表示素子１２が発光して情報を表示したときに、自発光表示素子１２の端面から出射された一部の表示光が腕時計ケース１の側壁部に設けられた光透過部材３２で導かれて押釦３０の釦頭部３１に入射し、この入射した光が釦頭部３１から腕時計ケース１の外部に放出されるので、腕時計ケース１の外部に露出した押釦３０の釦頭部３１を発光させることができる。これにより、実施形態１と同様、装飾性の高いものを得ることができるほか、特に暗い所でも良好に押釦３０を認識して操作することができるので、使い勝手の良いものを得ることができる。
【００３８】
なお、上記実施形態２では、押釦３０の釦頭部３１が光透過性を有する合成樹脂で形成されている場合について述べたが、これに限らず、押釦３０の釦軸２１をも透明または半透明の光透過性を有する合成樹脂で形成しても良い。このように構成すれば、自発光表示素子１２で発光した一部の表示光を釦軸２１によっても釦頭部３１に導くことができるので、効率良く表示光を釦頭部３１に導くことができる。この場合、例えば、釦軸２１の内端部を自発光表示素子１２の端面に対応させれば、自発光表示素子１２の端部から出射された一部の表示光を釦軸２１の内端部から採り込んで釦頭部３１に導くことができるので、腕時計ケース１の側壁部に光透過部材３２を設ける必要がなく、腕時計ケース１の構造を簡単にすることができる。
【００３９】
（実施形態３）
次に、図４を参照して、この発明を電子腕時計に適用した実施形態３について説明する。この場合にも、図１および図２に示された実施形態１と同一部分に同一符号を付して説明する。
この電子腕時計は、時計ガラス２の下面に透過型の自発光表示素子１２を一体に設け、この状態で腕時計ケース１の上部中央にパッキン２ａを介して取り付けた構成で、これ以外は実施形態１とほぼ同じ構成になっている。
【００４０】
すなわち、この透過型の自発光表示素子１２は、実施形態１と同様、透明なＥＬ（エレクトロ・ルミネッセンス）表示素子からなり、時刻などの情報を自発光によって表示するものであり、図２に示したように、ＥＬ発光層１６と、このＥＬ発光層１６を挟む上下一対の透明電極１７、１８とを備え、下側の透明電極１８が絶縁性を有する透明なベースシート１９ａ上に設けられ、上側の透明電極１７が時計ガラス２の下面に直接設けられ、これにより時計ガラス２の下面に一体に設けられた構成で、腕時計ケース１の上部中央にパッキン２ａを介して取り付けられている。
【００４１】
このような電子腕時計によれば、時計ガラス２の下面に透過型の自発光表示素子１２を一体に設けたことにより、上側の透明電極１７を覆う保護シート１９ｂが不要になるので実施形態１のものよりも、自発光表示素子１２を薄く構成することができ、これにより、より一層、機器全体の薄型化、小型化を図ることができる。この場合にも、透過型の自発光表示素子１２が発光して情報を表示するので、暗い所でも自発光表示素子１２によって表示された情報を腕時計ケース１の外部から時計ガラス２を通して見ることができる。
【００４２】
このときには、自発光表示素子１２が透過型であるから、自発光表示素子１２が発光して情報を表示すると、その表示光によって自発光表示素子１２の下側をも照明することができる。このため、自発光表示素子１２の下側に配置された指針１５および文字板１１を表示光で照明することができ、これにより自発光表示素子１２を透して指針１５および文字板１１を腕時計ケース１の外部から認識することができるので、指針１５および文字板１１によって指示される時刻をも知ることができる。
【００４３】
（実施形態４）
次に、図５を参照して、この発明を電子腕時計に適用した実施形態４について説明する。この場合にも、図１および図２に示された実施形態１と同一部分に同一符号を付して説明する。
この電子腕時計は、時計モジュール４のハウジング８上に透過型の自発光表示素子１２を配置し、この透過型の自発光表示素子１２が文字板を兼ねるように構成し、これ以外は実施形態１とほぼ同じ構成になっている。
【００４４】
すなわち、この透過型の自発光表示素子１２も、実施形態１と同様、透明なＥＬ（エレクトロ・ルミネッセンス）表示素子からなり、時刻などの情報を自発光によって表示すると共に、文字板としての機能をも備えたものであり、図２に示したように、ＥＬ発光層１６と、このＥＬ発光層１６を挟む上下一対の透明電極１７、１８とを備え、下側の透明電極１８が絶縁性を有する透明なベースシート１９ａ上に設けられ、上側の透明電極１７が絶縁性を有する透明な保護シート１９ｂで覆われた構成で、文字板の時字をも表示するように構成されている。
【００４５】
このような電子腕時計によれば、腕時計ケース１内に透過型の自発光表示素子１２が時計ガラス２に対応して設けられているので、実施形態１と同様、透過型の自発光表示素子１２が発光して情報を表示することができ、これにより暗い所でも自発光表示素子１２によって表示された情報を腕時計ケース１の外部から時計ガラス２を通して見ることができると共に、自発光表示素子１２の表示光によってその上方の指針１５を照明することができるので、この指針１５および自発光表示素子１２に表示された時字によって指示された時刻をも知ることができるほか、特に透過型の自発光表示素子１２が文字板をも兼ねているので、実施形態１よりも、更に機器全体の薄型化、小型化を図ることができる。
【００４６】
なお、上記実施形態４においても、実施形態１と同様、腕時計ケース１の側壁部に光透過部材２５を腕時計ケース１の内部と外部とに貫通させて設け、この光透過部材２５の内端部を透過型の自発光表示素子１２の端面に対応させた構成でも良い。このように構成すれば、実施形態１と同様、自発光表示素子１２が発光して情報を表示したときに、自発光表示素子１２の端面から表示光の一部が出射されるので、その出射された光を腕時計ケース１に設けられた光透過部材２５で導いて腕時計ケース１の外部に放出することができ、これにより腕時計ケース１における側壁部の一部を発光させることができる。
【００４７】
また、これに限らず、例えば実施形態２と同様、腕時計ケース１の側壁面に光透過部材３２を設け、この光透過部材３２に押釦３０を取り付け、この押釦３０の釦頭部３１を光透過性を有する合成樹脂で構成しても良い。このように構成すれば、実施形態２と同様、透過型の自発光表示素子１２が発光して情報を表示したときに、自発光表示素子１２の端面から出射された一部の表示光が腕時計ケース１の光透過部材３２で導かれて押釦３０の釦頭部３１に入射し、この入射した光が釦頭部３１から腕時計ケース１の外部に放出されるので、腕時計ケース１の外部に露出した押釦３０の釦頭部３１を発光させることができる。
【００４８】
（実施形態５）
次に、図６を参照して、この発明を電子腕時計に適用した実施形態５について説明する。この場合にも、図１および図２に示された実施形態１と同一部分に同一符号を付して説明する。
この電子腕時計は、時計モジュール４のハウジング８上にソーラーパネル４０を配置し、このソーラーパネル４０上に半透過反射層４１を介して透過型の自発光表示素子１２を配置した構成で、これ以外は実施形態１とほぼ同じ構成になっている。この場合にも、ソーラーパネル４０、半透過反射層４１、および自発光表示素子１２には、アナログムーブメント１０の指針軸１３が挿入する貫通孔４２が連続して設けられている。
【００４９】
このような電子腕時計によれば、腕時計ケース１内に透過型の自発光表示素子１２が時計ガラス２に対応して配置されているので、実施形態１と同様、機器全体の薄型化、小型化を図ることができると共に、透過型の自発光表示素子１２が発光して情報を表示するので、暗い所でも自発光表示素子１２に表示された情報を腕時計ケース１の外部から時計ガラス２を通して見ることができるほか、自発光表示素子１２の表示光によってその上方の指針１５を照明することができるので、この指針１５によって指示された時刻をも知ることができる。
【００５０】
この場合には、特に透過型の自発光表示素子１２の下面側に半透過反射層４１を介してソーラーパネル４０が配置されていることにより、明るい所では外部光が自発光表示素子１２を透過してソーラーパネル４０に照射されるので、ソーラーパネル４０を発電させることができる。すなわち、自発光表示素子１２を透過した外部光の一部が半透過反射層４１を透過するので、効率良く外部光をソーラーパネル４０に照射させることができ、これによりソーラーパネル４０を確実に且つ良好に発電させることができると共に、外部光の他の一部が半透過反射層４１で反射されるので、この反射光によって自発光表示素子１２を通して指針１５を照明することができる。
【００５１】
なお、上記実施形態５では、透過型の自発光表示素子１２とソーラーパネル４０との間に半透過反射層４１を設けた場合について述べたが、必ずしも半透過反射層４１を設ける必要はなく、ソーラーパネル４０の上面に透過型の自発光表示素子１２を直接設けた構成でも良い。このように構成すれば、外部光をソーラーパネル４０に十分に照射させることができ、ソーラーパネル４０の発電効率を高めることができる。
【００５２】
また、上記実施形態５においても、実施形態１と同様、腕時計ケース１の側壁部に光透過部材２５を腕時計ケース１の内部と外部とに貫通させて設け、この光透過部材２５の内端部を透過型の自発光表示素子１２の端面に対応させた構成でも良い。このように構成すれば、実施形態１と同様、透過型の自発光表示素子１２が発光して情報を表示したときに、自発光表示素子１２の端面から表示光の一部が出射されるので、その出射された光を腕時計ケース１に設けられた光透過部材２５で導いて腕時計ケース１の外部に放出することができ、これにより腕時計ケース１における側壁部の一部を発光させることができる。
【００５３】
また、これに限らず、例えば実施形態２と同様、腕時計ケース１の側壁面に光透過部材３２を設け、この光透過部材３２に押釦３０を取り付け、この押釦３０の釦頭部３１を光透過性を有する合成樹脂で構成しても良い。このように構成すれば、実施形態２と同様、自発光表示素子１２が発光して情報を表示したときに、自発光表示素子１２の端面から出射された一部の表示光が腕時計ケース１の光透過部材３２で導かれて押釦３０の釦頭部３１に入射し、この入射した光が釦頭部３１から腕時計ケース１の外部に放出されるので、腕時計ケース１の外部に露出した押釦３０の釦頭部３１を発光させることができる。
【００５４】
（実施形態６）
次に、図７を参照して、この発明を電子腕時計に適用した実施形態６について説明する。この場合にも、図１および図２に示された実施形態１と同一部分に同一符号を付して説明する。
この電子腕時計は、時計モジュール５０のハウジング８上に透過型の自発光表示素子１２を配置し、この透過型の自発光表示素子１２上に透過型の液晶表示素子５１を配置し、これにより時計モジュール５０がデジタル表示機能のみを搭載した構成になっている。この場合、透過型の液晶表示素子５１は、上下一対の透明な電極基板間に液晶を封入し、上下一対の電極基板に選択的に電圧を印加することにより、情報を表示するように構成されている。
【００５５】
このような電子腕時計によれば、腕時計ケース１内に透過型の液晶表示素子５１を時計ガラス２に対応させて配置し、この透過型の液晶表示素子５１の下面に透過型の自発光表示素子１２を配置したので、自発光表示素子１２が発光して情報を表示すると、その表示光によって透過型の液晶表示素子５１の下面側を照明することができる。このため、暗い所でも透過型の自発光表示素子１２に表示された情報を透過型の液晶表示素子５１を通して見ることができると共に、透過型の液晶表示素子５１に表示された情報をも認識することができ、これにより、より多くの情報を表示して認識することができる。
【００５６】
なお、上記実施形態６では、透過型の液晶表示素子５１が情報を白黒で表示し、透過型の自発光表示素子１２が情報を単色で表示する場合について述べたが、これに限らず、例えば透過型の液晶表示素子５１と透過型の自発光表示素子１２との少なくとも一方をカラー表示するように構成しても良い。このようにすれば、色彩が豊富になり、表示が見やすく、より一層、装飾性の高いものを得ることができる。
【００５７】
また、上記実施形態６においても、実施形態１と同様、腕時計ケース１の側壁部に光透過部材２５を腕時計ケース１の内部と外部とに貫通させて設け、この光透過部材２５の内端部を透過型の自発光表示素子１２の端面に対応させた構成でも良い。このように構成すれば、実施形態１と同様、自発光表示素子１２が発光して情報を表示したときに、自発光表示素子１２の端面から表示光の一部が出射されるので、その出射された光を腕時計ケース１に設けられた光透過部材２５で導いて腕時計ケース１の外部に放出することができ、これにより腕時計ケース１における側部の一部を発光させることができる。
【００５８】
さらに、上記実施形態６においても、実施形態２と同様、腕時計ケース１の側壁面に光透過部材３２を設け、この光透過部材３２に押釦３０を取り付け、この押釦３０の釦頭部３１を光透過性を有する合成樹脂で構成しても良い。このように構成すれば、実施形態２と同様、自発光表示素子１２が発光して情報を表示したときに、自発光表示素子１２の端面から出射された一部の表示光が腕時計ケース１の光透過部材３２で導かれて押釦３０の釦頭部３１に入射し、この入射した光が釦頭部３１から腕時計ケース１の外部に放出されるので、腕時計ケース１の外部に露出した押釦３０の釦頭部３１を発光させることができる。
【００５９】
なおまた、上記実施形態１〜６では、電子機器として、電子腕時計に適用した場合について述べたが、これに限らず、例えばトラベルウォッチ、置き時計、目覚まし時計、掛け時計などの電子時計にも適用することができる。また、必ずしも電子時計に限らず、携帯電話機、電子辞書、ＰＤＡ（パーソナル・デジタル・アシスタント）などの各種の電子機器に広く適用することができる。
【図面の簡単な説明】
【００６０】
【図１】この発明を電子腕時計に適用した拡大断面図である。（実施形態１）
【図２】図１の透過型の自発光表示素子を示した要部の拡大断面図である。
【図３】この発明を電子腕時計に適用した拡大断面図である。（実施形態２）
【図４】この発明を電子腕時計に適用した拡大断面図である。（実施形態３）
【図５】この発明を電子腕時計に適用した拡大断面図である。（実施形態４）
【図６】この発明を電子腕時計に適用した拡大断面図である。（実施形態５）
【図７】この発明を電子腕時計に適用した拡大断面図である。（実施形態６）
【符号の説明】
【００６１】
１  腕時計ケース
２  時計ガラス
４、５０  時計モジュール
７、３０  押釦
１０  アナログムーブメント
１１  文字板
１２  透過型の自発光表示素子
１３  指針軸
１５  指針
２５、３２  光透過部材
２０、３１  釦頭部
２１  釦軸
４０  ソーラーパネル
４１  半透過反射層
５１  液晶表示素子
【図１】
2006177830.tif 000003
【図２】
2006177830.tif 000004
【図３】
2006177830.tif 000005
【図４】
2006177830.tif 000006
【図５】
2006177830.tif 000007
【図６】
2006177830.tif 000008
【図７】
2006177830.tif 000009